(57)【要約】      （修正有）【課題】複数の点光源から放たれた光を一つに纏めた状態にて表示可能であり且つ光表示を点灯状態から消灯状態に変更するときの違和感を軽減可能な表示装置の提供。【解決手段】表示装置１０は、複数の点光源１２と、複数の点光源から放たれる光の光路上に設けられた光拡散部材１３と、複数の点光源の輝度を制御する制御部１４と、を備える。制御部は、光拡散部材を通過した光が一纏まりの光表示１００を形成するように複数の点光源の一部又は全部である点光源群の輝度を所定輝度に制御する点灯状態と、光表示が消失するように点光源群の輝度をゼロに制御する消灯状態と、の間にて点光源群の輝度を変更可能であると共に、点灯状態から消灯状態に点光源群の輝度を変更するとき、点光源群の端部に位置する点光源よりも点光源群の内側に位置する点光源の輝度を先に低下させるように、点光源群の輝度を制御する。【選択図】図２
2017132318.tif 000002
【特許請求の範囲】
【請求項１】
複数の点光源と、前記複数の点光源から放たれる光の光路上に設けられた光拡散部材と、前記複数の点光源の輝度を制御する制御部と、を備えた表示装置であって、
前記制御部は、
前記光拡散部材を通過した光が一纏まりの光表示を形成するように、前記複数の点光源の一部又は全部である点光源群の輝度を所定輝度に制御する点灯状態と、
前記光表示が消失するように、前記点光源群の輝度をゼロに制御する消灯状態と、
の間にて前記点光源群の輝度を変更可能であると共に、
前記点灯状態から前記消灯状態に前記点光源群の輝度を変更するとき、前記点光源群の端部に位置する点光源よりも前記点光源群の内側に位置する点光源の輝度を先に低下させるように、前記点光源群の輝度を制御する、
表示装置。
【請求項２】
請求項１に記載の表示装置において、
前記制御部が、
前記点灯状態から前記消灯状態に前記点光源群の輝度を変更するとき、前記点光源群の中心に近い点光源から端部に近い点光源に向けて順に輝度を低下させる、
表示装置。
【請求項３】
請求項１に記載の表示装置において、
前記制御部が、
前記点灯状態から前記消灯状態に前記点光源群の輝度を変更するとき、前記点光源群の中心を含む所定範囲内の点光源の輝度を、前記所定範囲外の点光源の輝度よりも先に低下させる、
表示装置。
【発明の詳細な説明】
【技術分野】
【０００１】
本発明は、複数の点光源から放たれる光によって光表示を行う表示装置に関する。
【背景技術】
【０００２】
従来から、複数の点光源（ＬＥＤ等）を用いた車両用表示装置が提案されている。例えば、従来の車両用表示装置の一つ（以下「従来装置」という。）は、車両のインストルメントパネルに設けた複数の点光源から放たれた光をウインドシールド（フロントガラス）上に投影し、点状の光表示（ドット情報）を形成するようになっている。具体的には、従来装置は、車両の運転者に注意を促したい位置（例えば、歩行者に対応する位置）に光表示（ドット情報）を形成し、運転支援を図るようになっている（例えば、特許文献１を参照。）。
【先行技術文献】
【特許文献】
【０００３】
【特許文献１】特開２００９−２１７６８２号公報
【発明の概要】
【発明が解決しようとする課題】
【０００４】
従来装置は、複数の点状の光表示を個別に独立（分離）した状態で表示すると共に、それら光表示を点灯または消灯させるように（換言すると、点光源の輝度を所定値及びゼロの２値の一方に設定するように）制御している。即ち、従来装置は、点状の光表示（ドット情報）の有無を切り替えるようになっている。
【０００５】
一方、表示する情報の内容（例えば、重要度、種類および目的など）によっては、点状の光表示よりも、一纏まりの光表示（例えば、複数の点状の光表示が一列に連なって形成された光表示、又は、複数の点状の光表示が縦横に連なって形成された光表示）を用いることが好ましい場合がある。また、点灯している光表示が突然に消灯すると、光表示が表示されていた部位（ウインドシールドの一部）の明るさが突然に低下し、運転者に違和感を与えることとなり得る。特に、一纏まりの光表示を用いる場合、１つの点状の光表示を用いる場合に比べて消灯時の明るさの変化量が大きいため、運転者に与える違和感が大きくなり得る。
【０００６】
本発明は、上述した事情に鑑みてなされたものであり、その目的は、複数の点光源から放たれた光を一つに纏めた状態にて表示可能であり、且つ、光表示を点灯状態から消灯状態に変更するときの違和感を軽減可能な表示装置を提供することにある。
【課題を解決するための手段】
【０００７】
前述した目的を達成するために、本発明に係る表示装置は、下記（１）〜（３）を特徴としている。
（１）
複数の点光源と、前記複数の点光源から放たれる光の光路上に設けられた光拡散部材と、前記複数の点光源の輝度を制御する制御部と、を備えた表示装置であって、
前記制御部は、
前記光拡散部材を通過した光が一纏まりの光表示を形成するように、前記複数の点光源の一部又は全部である点光源群の輝度を所定輝度に制御する点灯状態と、
前記光表示が消失するように、前記点光源群の輝度をゼロに制御する消灯状態と、
の間にて前記点光源群の輝度を変更可能であると共に、
前記点灯状態から前記消灯状態に前記点光源群の輝度を変更するとき、前記点光源群の端部に位置する点光源よりも前記点光源群の内側に位置する点光源の輝度を先に低下させるように、前記点光源群の輝度を制御する、
表示装置であること。
（２）
上記（１）に記載の表示装置において、
前記制御部が、
前記点灯状態から前記消灯状態に前記点光源群の輝度を変更するとき、前記点光源群の中心に近い点光源から端部に近い点光源に向けて順に輝度を低下させる、
表示装置であること。
（３）
上記（１）に記載の表示装置において、
前記制御部が、
前記点灯状態から前記消灯状態に前記点光源群の輝度を変更するとき、前記点光源群の中心を含む所定範囲内の点光源の輝度を、前記所定範囲外の点光源の輝度よりも先に低下させる、
表示装置であること。
【０００８】
上記（１）の構成の表示装置によれば、点光源群から放たれた光が光拡散部材によって拡散（分散・均一化）されることにより、一纏まりの光表示が形成される。更に、光表示を点灯状態から消灯状態に変更するとき、点光源群の端部に位置する点光源よりも点光源群の内側に位置する点光源の輝度を優先して低下させる。換言すると、端部の点光源を、内側の点光源よりも長い時間にわたって光らせる。そのため、光表示の中央部分の明るさが低下した後、光表示の周辺部分の明るさが低下することになる。その結果、従来装置のように光表示の全体の明るさが同時かつ瞬時に低下する場合に比べ、運転者に与える違和感を軽減できる。
【０００９】
更に、上述した順序（中央部分が先、周辺部分が後、の順序）にて光表示の明るさが低下するため、例えば逆の順序（周辺部分が先、中央部分が後、の順序）にて光表示の明るさが低下する場合に比べ、光表示が縮みながら消える印象（以下「収縮感」という。）を運転者に与え難い。その結果、上記構成の表示装置によれば、光表示を消灯する際の光表示の美観を向上させられる。
【００１０】
したがって、上記構成の表示装置は、複数の点光源から放たれた光を一つに纏めた状態にて表示可能であり、且つ、光表示を点灯状態から消灯状態に変更するときの違和感を軽減できる。更に、上記構成の表示装置は、光表示の消灯時における美観を向上できる。
【００１１】
ところで、上記構成の表示装置において、一纏まりの光表示とは、複数の点光源のうちの一の点光源からの出射光と、その点光源の周辺の点光源からの出射光と、が重なることにより、各々の点光源に対応する複数の点状の光表示が連なるように形成された光表示（換言すると、一繋がりの光表示）を表す。なお、一纏まりの光表示の具体例として、複数の点状の光表示が一次元的に（一列に）連なるように形成された線状の光表示、及び、複数の点状の光表示が二次元的に（縦横に）連なるように形成された面状の光表示などが挙げられる。
【００１２】
更に、光拡散部材は、同部材を通過する光の指向性を低下させることにより、複数の点光源から放たれる光による一纏まりの光表示を形成可能な部材であればよく、その具体的な構造等は特に制限されない。例えば、光拡散部材として、光拡散板（いわゆる光学ディフューザ）、レンズアレイ、及び、複数のプリズム状の凹凸（例えば、Ｖ型溝形状）を有するプリズム板などが用いられ得る。
【００１３】
更に、上記構成の表示装置において、光表示を表示する場所は特に制限されない。例えば、光表示は、光拡散部材を通過した光をウインドシールドへ投影することによってウインドシールド上に表示されてもよく、光拡散部材をインストルメントパネルの表面に配置することによってインストルメントパネルそのものに表示されてもよく、それらの双方であってもよい。更に、複数の点光源の配置は、光表示が一纏まりになる配置であればよく、特に制限されない。例えば、複数の点光源は、直線状に並んでもよく、曲線状に並んでもよく、格子状に並んでもよく、不規則に並んでもよい。なお、上記構成の表示装置は、車両以外の用途に用いられてもよい。
【００１４】
上記（２）の構成の表示装置によれば、点光源群の中心に近い点光源から端部に近い点光源に向けて順に輝度を低下させるため、光表示の中心から端部に向けて、暗い部分（消灯した部分）が徐々に広がることになる。よって、点光源群の輝度を一斉に低下させる場合に比べ、光表示の収縮感を軽減できる。
【００１５】
上記（３）の構成の表示装置によれば、上記同様、点光源群の輝度を一斉に低下させる場合に比べ、光表示の収縮感を軽減できる。更に、上記（２）の構成の表示装置に比べ、光表示の中央部分が突然に暗くなった印象を与え得るデメリットがあるものの、点光源群の輝度の制御が容易になるメリットがある。
【発明の効果】
【００１６】
本発明によれば、複数の点光源から放たれた光を一つに纏めた状態にて表示可能であり、且つ、光表示を点灯状態から消灯状態に変更するときの違和感を軽減できる。更に、本発明によれば、光表示の消灯時における美観を向上できる。
【００１７】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１８】
【図１】図１は、本発明の実施形態に係る表示装置の概略図であり、図１（ａ）は側面図であり、図１（ｂ）は正面図である。
【図２】図２は、表示装置の適用例を示す概略断面図である。
【図３】図３は、複数の点光源（ＬＥＤ）の輝度分布を示す図であり、図３（ａ）は単一のＬＥＤの輝度分布を示し、図３（ｂ）は複数のＬＥＤの輝度分布を示し、図３（ｃ）は合成輝度を示す。
【図４】図４は、消灯制御の説明図であり、図４（ａ）は光拡散部材を通過した後の合成輝度分布の時間変化を示し、図４（ｂ）は時間毎の光表示の視認状態を示す。
【図５】図５は、点灯状態におけるＬＥＤの状態を示す図であり、図５（ａ）は光拡散部材を通過した後の合成輝度分布を示し、図５（ｂ）は個々のＬＥＤの輝度分布を示す。
【図６】図６は、消灯制御の開始直後（第１消灯段階）におけるＬＥＤの状態を示す図であり、図６（ａ）は光拡散部材を通過した後の合成輝度分布を示し、図６（ｂ）は個々のＬＥＤの輝度分布を示す。
【図７】図７は、第１消灯段階の後の第２消灯段階におけるＬＥＤの状態を示す図であり、図７（ａ）は光拡散部材を通過した後の合成輝度分布を示し、図７（ｂ）は個々のＬＥＤの輝度分布を示す。
【図８】図８は、第２消灯段階の後の第３消灯段階におけるＬＥＤの状態を示す図であり、図８（ａ）は光拡散部材を通過した後の合成輝度分布を示し、図８（ｂ）は複数のＬＥＤの輝度分布を示す。
【図９】図９は、本発明の消灯制御を行わない場合（比較例）の合成輝度分布の時間変化を示す。
【図１０】図１０は、図１０（ａ）は図９のＭ部の部分拡大図であり、図１０（ｂ）は時間毎の光表示の視認状態の変化を示す模式図である。
【図１１】図１１は、消灯制御の他の例を示す説明図である。
【発明を実施するための形態】
【００１９】
以下、図面を参照しながら、本発明の実施形態に係る表示装置１０について説明する。
【００２０】
＜実施形態＞
図１に示すように、表示装置１０は、配線基板１１上に直線状に一列に一定間隔を空けて配列された複数のＬＥＤ（点光源）１２と、複数のＬＥＤ１２から放たれる光の光路上に設けられた光拡散板（光拡散部材）１３と、複数の点光源１２の輝度を制御する制御部１４（図２を参照。）と、を備えている。
【００２１】
図２に示すように、一つの適用例として、表示装置１０は、車両２０のインストルメントパネル２１の上面に設けられている。表示装置１０は、複数のＬＥＤ１２から放たれた光を、光拡散板１３を通過させた後、ウインドシールド（フロントガラス）２２に投影する。これにより、表示装置１０は、車両２０の運転者Ｄに注意を促したい位置（例えば、歩行者に対応する位置）に光表示１００（虚像）を表示させるようになっている。なお、インストルメントパネル２１には、表示装置１０から放たれて光が運転者Ｄの目に直接には入射しないよう、遮蔽部２３が設けられている。
【００２２】
複数のＬＥＤ１２は、例えば、車両２０の車幅方向に一列に直線状に一定間隔を空けて配列されている。光拡散板１３は、複数のＬＥＤ１２の出射方向においてそれらＬＥＤ２０から所定の距離だけ離れた位置に設けられている。光拡散板１３は、いわゆる光学ディフューザであり、複数のＬＥＤ１２の出射光を拡散（分散・均一化）し、線状に繋がった一纏まりの光表示を形成する（ひいては、一纏まりの光表示をウインドシールド２２上に表示する）機能を有する。
【００２３】
なお、本例において、「線状に繋がった一纏まりの光表示」（線状の光表示）とは、複数のＬＥＤ１２のうちの一のＬＥＤ１２からの出射光と、そのＬＥＤ１２の周辺のＬＥＤ１２からの出射光と、が重なることにより、各々のＬＥＤ１２に対応する複数の点状の光表示が一次元的に（一列に）連なるように形成された光表示、を表す（例えば、図３及び図４を参照。）。
【００２４】
制御部１４は、ＣＰＵ（中央処理装置）、ＲＯＭ（読み出し専用メモリ）及びＲＡＭ（随時書き込み読み出しメモリ）を含むマイクロコンピュータを備える。ＲＯＭには必要な各種プログラムが記憶されている。ＣＰＵは、ＲＯＭに記憶されたプログラムに従って各種の処理を実行する。ＲＡＭは、ＣＰＵが各種の処理を実行する上において必要なデータ等を適宜記憶する。なお、ＣＰＵ、ＲＯＭ及びＲＡＭの図示は省略する。
【００２５】
制御部１４は、複数の点光源の一部又は全部である点光源群の輝度を所定輝度に制御する「点灯状態」と、点光源群の輝度をゼロに制御する「消灯状態」と、の間にて点光源群の輝度を変更すようになっている。点灯状態において、光拡散板１３を通過した光が線状の光表示を形成する。消灯状態において、光表示が消失する。
【００２６】
更に、制御部１４は、点灯状態から消灯状態に点光源群の輝度を変更するとき、点光源群の端部に位置する点光源よりも、点光源群の内側に位置する点光源の輝度を、先に低下させるように、点光源群の輝度を制御するようになっている。例えば、制御部１４は、点灯状態から消灯状態に点光源群の輝度を変更するとき、点光源群の中心に近い点光源から端部に近い点光源に向けて順に（徐々に）輝度を低下させるように、点光源群の輝度を制御するようになっている。
【００２７】
以下、制御部１４が行う点光源群の輝度の制御について、より詳細に説明する。
【００２８】
図３（ａ）に示すように、座標Ａの位置に存在する単一の（１個の）ＬＥＤ１２を点灯させると、そのＬＥＤ１２は、図示するような相対輝度分布を示す。同様に、図３（ｂ）に示すように、複数のＬＥＤ１２（以下「ＬＥＤ群１２Ａ」ともいう。）を点灯させると、個々のＬＥＤ１２は、図示するような相対輝度分布を示す。ＬＥＤ群１２Ａが点灯すると、図３（ｃ）に示すように、光拡散板１３を通過した後の光は、図示するような輝度分布（合成輝度の分布）を示す。その結果、各々のＬＥＤ１２から放たれる光が繋がった線状の光表示が形成される。なお、本例では２４個のＬＥＤ１２が点灯された状態が図示されているが、同時に点灯されるＬＥＤ１２の数は特に制限されない。
【００２９】
図４を参照しながら、表示装置１０が消灯制御を行う場合における光表示の様子について説明する。まず、時刻ｔ０において、ＬＥＤ群１２Ａが図３（ｂ）に示すように点灯している。この点灯状態における合成輝度（光拡散板１３を通過した後の光表示）を、図４（ａ）にて、時刻ｔ０を付した実線に示す。
【００３０】
制御部１４は、この点灯状態から、時刻ｔ４を付した実線に示す消灯状態（全てのＬＥＤ１２の輝度がゼロの状態）まで、ＬＥＤ群１２Ａの輝度を制御する。具体的には、制御部１４は、図４（ａ）の時刻ｔ１〜ｔ３を付した実線に示すように、ＬＥＤ群１２Ａの端部に位置するＬＥＤよりもＬＥＤ群１２Ａの内側に位置するＬＥＤの輝度を先に低下させるように、ＬＥＤ群１２Ａの輝度を制御する。本例では、ＬＥＤ群１２Ａの中心に近いＬＥＤ１２から端部に近いＬＥＤ１２に向けて順に輝度を低下させるように、ＬＥＤ群１２Ａの輝度を制御する。なお、個々のＬＥＤ１２の輝度を点灯（相対輝度１．０）から消灯（相対輝度ゼロ）に変化させるまでの時間長さは、光表示１００によって表示する情報の内容（例えば、重要度、種類および目的など）を考慮して適宜設定されればよい。
【００３１】
その結果、図４（ｂ）に示すように、線状の光表示の両端を完全消灯の直前まで確認できる状態にて、光表示１００の視認サイズを実質的に収縮させることなく、光表示を点灯状態から消灯状態に変化させることができる。なお、図４（ｂ）では、線状の光表示の各位置における輝度の大きさを、便宜上、表示の幅（図中の上下方向における長さ）として表している。
【００３２】
以下、図５〜図８を参照しながら、上述した消灯制御をより詳細に説明する。なお、図５〜図８においては、説明の便宜上、ＬＥＤ群１２Ａを構成するＬＥＤの数を図３に示す数よりも増大させている。
【００３３】
時刻ｔ０において、図５（ａ），（ｂ）に示すように、ＬＥＤ群１２Ａの全ての輝度が最大値（１００％点灯状態）に制御され、ＬＥＤ群１２Ａから放たれる光が繋がって線状の光表示が表示される。
【００３４】
次いで、時刻ｔ０から所定時間が経過した時刻ｔ１において、図６（ａ），（ｂ）に示すように、第１消灯段階として、線状の光表示を行っているＬＥＤ群１２Ａの中心に近いＬＥＤ１２の輝度を低下させる。次いで、時刻ｔ１から所定時間が経過した時刻ｔ２において、図７（ａ），（ｂ）に示すように、第２消灯段階として、図６において輝度を低下させたＬＥＤ１２の周辺に位置するＬＥＤ１２の輝度を低下させる。次いで、時刻ｔ２から所定時間が経過した時刻ｔ３において、図８（ａ），（ｂ）に示すように、第３消灯段階として、図７において輝度を低下させたＬＥＤ１２の周辺に位置するＬＥＤ１２の輝度を低下させる。このように、時刻ｔ１〜ｔ３を追う毎にＬＥＤ群１２Ａの輝度を中央部から周辺部に向けて徐々に低下させ、最終的にＬＥＤ群１２Ａに含まれる全てのＬＥＤ１２の輝度をゼロにする（消灯させる）。
【００３５】
一方、図９及び図１０を参照しながら、上述した消灯制御を行わない場合（比較例）における光表示の消灯の過程について説明する。
【００３６】
図９に示すように、ＬＥＤ群１２Ａの全ての輝度が最大値（１００％点灯状態）である時刻ｔ０から、時刻ｔ１〜ｔ４の経過に伴ってＬＥＤ群１２Ａの輝度を一斉に徐々に低下させる。このとき、ＬＥＤ群１２Ａの輝度を均等に低下させているにもかかわらず、人間の目の視認限界輝度を考慮すると、図１０（ａ），（ｂ）に示すように、線状の光表示１００が、端部から中央に向けて順に暗くなる。その結果、光表示が縮みながら消えるように認識される現象が生じる。即ち、光表示１００の収縮感を運転者Ｄに与えることとなる。
【００３７】
これに対し、本発明に係る表示装置１０は、光表示１００を点灯状態から消灯状態に変更するとき、ＬＥＤ群１２Ａの端部に位置する点光源１２よりもＬＥＤ群１２Ａの内側に位置する点光源１２の輝度を優先して低下させる。そのため、光表示１００の中央部分の明るさが低下した後、光表示１００の周辺部分の明るさが低下することになる。その結果、従来装置のように光表示の全体の明るさが同時かつ瞬時に低下する場合に比べ、運転者Ｄに与える違和感を軽減できる。更に、表示装置１０は、光表示１００の収縮感を運転者に与え難いため、光表示１００を消灯する際の光表示１００の美観を向上させられる。
【００３８】
＜他の実施形態＞
本発明は上記各実施形態に限定されることはなく、本発明の範囲内において種々の変形例を採用できる。
【００３９】
例えば、表示装置１０は、ＬＥＤ群１２Ａの中心に近い点光源１２から端部に近い点光源１２に向けて順に（徐々に）輝度を低下させるようになっている。しかし、本発明に係る表示装置は、図１１に示すように、ＬＥＤ群１２Ａの中心を含む所定範囲Ｓ内のＬＥＤ１２の輝度を同一に保ちつつ、所定範囲Ｓ外の点光源の輝度よりも先に低下させるように制御してもよい。
【００４０】
更に、表示装置１０は、複数のＬＥＤ１２により線状の光表示１００を形成している。しかし、本発明に係る表示装置は、点光源（ＬＥＤ等）を格子状または不規則に面状に配列すると共に、それら点光源のうちの一部または全部（点光源群）を用い、面状の光表示を形成してもよい。なお、本例において、面状の光表示とは、複数の点光源のうちの一の点光源からの出射光と、その点光源の周辺の点光源からの出射光と、が重なることにより、複数の点光源の各々に対応する複数の点状の光表示が二次元的に（縦横に）連なるように形成された光表示、を表す。
【００４１】
更に、表示装置１０は、光拡散部材として光拡散板１３（いわゆる光学ディフューザ）を用いている。しかし、本発明に係る表示装置は、光拡散部材として、レンズアレイを用いてもよく、複数のプリズム状の凹凸を有するプリズム板（例えば、Ｖ型溝形状）を用いてもよい。
【００４２】
更に、表示装置１０は、車両２０のウインドシールド２２上に光表示１００を形成するようになっている。しかし、本発明に係る表示装置は、光拡散部材１３をインストルメントパネル２１の表面に配置することにより、インストルメントパネル２１そのものに光表示を表示してもよい。
【００４３】
ここで、上述した本発明に係る表示装置の実施形態の特徴をそれぞれ以下（１）〜（３）に簡潔に纏めて列記する。
（１）
複数の点光源（１２）と、前記複数の点光源から放たれる光の光路上に設けられた光拡散部材（１３）と、前記複数の点光源の輝度を制御する制御部（１４）と、を備えた表示装置（１０）であって、
前記制御部（１４）は、
前記光拡散部材（１３）を通過した光が一纏まりの光表示（１００）を形成するように、前記複数の点光源（１２）の一部又は全部である点光源群（１２Ａ）の輝度を所定輝度に制御する点灯状態と、
前記光表示（１００）が消失するように、前記点光源群（１２Ａ）の輝度をゼロに制御する消灯状態と、
の間にて前記点光源群（１２Ａ）の輝度を変更可能であると共に、
前記点灯状態から前記消灯状態に前記点光源群（１２Ａ）の輝度を変更するとき、前記点光源群（１２Ａ）の端部に位置する点光源よりも前記点光源群（１２Ａ）の内側に位置する点光源の輝度を先に低下させるように、前記点光源群の輝度を制御する、
表示装置。
（２）
上記（１）に記載の表示装置において、
前記制御部（１４）が、
前記点灯状態から前記消灯状態に前記点光源群（１２Ａ）の輝度を変更するとき、前記点光源群の中心に近い点光源から端部に近い点光源に向けて順に輝度を低下させる、
表示装置。
（３）
上記（１）に記載の表示装置において、
前記制御部（１４）が、
前記点灯状態から前記消灯状態に前記点光源群（１２Ａ）の輝度を変更するとき、前記点光源群の中心を含む所定範囲内の点光源の輝度を、前記所定範囲外の点光源の輝度よりも先に低下させる、
表示装置。
【符号の説明】
【００４４】
１０    表示装置
１２    ＬＥＤ（点光源）
１２Ａ  ＬＥＤ群（点光源群）
１３    光拡散板（光拡散部材）
１４    制御部
２０    車両
２１    インストルメントパネル
２２    ウインドシールド
１００  光表示
【図１】
2017132318.tif 000003
【図２】
2017132318.tif 000004
【図３】
2017132318.tif 000005
【図４】
2017132318.tif 000006
【図５】
2017132318.tif 000007
【図６】
2017132318.tif 000008
【図７】
2017132318.tif 000009
【図８】
2017132318.tif 000010
【図９】
2017132318.tif 000011
【図１０】
2017132318.tif 000012
【図１１】
2017132318.tif 000013